(57)【要約】【課題】引き違い開閉式サッシを手動で開けるものでありながら、そのサッシ開放時点から所定時間経過後にサッシを自動的に全閉して自動的にロックすることができるサッシ自動閉鎖用ユニットを実現することにある。【解決手段】引き違い開閉式のサッシ２，３のそれぞれに取り付ける第１，第２のフレーム１１，１２と、該フレーム１１，１２のそれぞれに跨って組み付けられサッシ２，３を全閉方向に付勢するバネ手段１３と、このバネ手段１３をサッシ閉方向に巻き上げ駆動するモータ１５と、サッシ２，３を全閉位置で自動的にロックするロック手段１９とを備えたものである。【選択図】        図１
2004169431.tif 000002
【特許請求の範囲】
【請求項１】
引き違い開閉式のサッシを自動的に閉じ作動させるためのサッシ自動閉鎖用ユニットであって、前記サッシのそれぞれに取り付ける第１および第２のフレームと、これらのフレームに跨って組み付けられ、それらの両フレームを介して前記サッシを閉方向に付勢するバネ手段と、このバネ手段をサッシ閉方向に巻き上げ駆動するバネ駆動モータと、前記サッシを全閉位置で自動的にロックするロック手段と、サッシ開放時点から所定時間経過後に前記ロック手段を自動的にロック解除作動させるロック解除手段とを備えたことを特徴とするサッシ自動閉鎖用ユニット。
【請求項２】
ロック解除手段は、バネ駆動モータに装備されてサッシ開放時間が予め設定され、その設定時間経過後に前記バネ駆動モータを起動させてバネ手段をサッシ閉方向に巻き上げ作動させるタイマーからなっていることを特徴とする請求項１記載のサッシ自動閉鎖用ユニット。
【請求項３】
第１および第２のフレームには、サッシの全閉を検知する全閉確認センサが取り付けられ、この全閉確認センサによるサッシ全閉検知信号でロック手段が稼動してサッシを自動ロックするようになっていることを特徴とする請求項１記載のサッシ自動閉鎖用ユニット。
【請求項４】
引き違い開閉式のサッシを自動的に閉じ作動させるためのサッシ自動閉鎖用ユニットであって、前記サッシのそれぞれに取り付けられる第１および第２のフレームと、これらのフレームに跨って組み付けられ、それらの両フレームを介して前記サッシを閉方向に付勢するバネ手段と、前記サッシの全閉位置を検知する全閉確認センサと、この全閉確認センサによるサッシ全閉確認時に稼動して両サッシを全閉位置で自動的にロックするロック手段と、サッシ開放時点から所定時間経過後に前記ロック手段を自動的にロック解除作動させるロック解除手段とを備えたことを特徴とするサッシ自動閉鎖用ユニット。
【請求項５】
第１および第２のフレーム部材には、サッシ閉じ作動時の速度および衝撃力を制御する速度・衝撃力制御手段が設けられていることを特徴とする請求項４記載のサッシ自動閉鎖用ユニット。
【請求項６】
サッシの開放操作力を軽減するサッシ開放操作手段を備えていることを特徴とする請求項４記載のサッシ自動閉鎖用ユニット。
【発明の詳細な説明】
【０００１】
【発明の属する技術分野】
この発明は、引き違い開閉式サッシに組み付けるサッシ自動開閉用ユニットに関するものである。
【０００２】
【従来の技術】
従来の引き違い開閉式サッシは、サッシ枠にガラス等の面板を嵌め込んだ構造となっていて、それをサッシ取付枠（サッシ外枠）の上下レール間に嵌め込んで人為的操作でのみ開閉可能とし、かつ、左右のサッシ枠に１つの鍵を設け、この鍵をサッシ全閉位置で人為的に操作して施錠または施錠解除するようにしている。また、防災については、もう１つか２つの鍵を後付けするか、もしくは最初から２つのロック手段を設けており、その何れの場合も人為的操作で施錠および施錠解除するようになっている。
【０００３】
なお、上記先行技術は当業者一般に知られた技術であって、文献公知発明に係るものではない。
【０００４】
【発明が解決しようとする課題】
従来の引き違い開閉式サッシは以上のように構成されているので、サッシの開閉およびサッシ全閉位置で施錠および施錠解除を人為的操作でしか行うことができないという課題があった。特に、高齢者や身障者および病人などによる窓や扉の閉め忘れ、またペットの出入に起因した窓や扉の閉め忘れ、さらには寝冷え防止などのために開けっ放し状態にできない環境での窓や扉の閉め忘れが多発する危惧があり、また、それに伴って盗難や不法侵入等の問題が生じるなどの課題があった。
【０００５】
この発明は上記のような課題を解決するためになされたもので、引き違い開閉式サッシを手動で開けるものでありながら、そのサッシ開放時点から所定時間経過後にサッシを自動的に全閉し、しかも、該全閉位置でサッシを自動的にロックすることができるサッシ自動閉鎖用ユニットを提供することを目的とする。
【０００６】
【課題を解決するための手段】
この発明に係るサッシ自動閉鎖用ユニットは、引き違い開閉式のサッシのそれぞれに取り付ける第１および第２のフレームと、これらのフレームに跨って組み付けられ、それらの両フレームを介して前記サッシを閉方向に付勢するバネ手段と、このバネ手段をサッシ閉方向に巻き上げ駆動するバネ駆動モータと、前記サッシを全閉位置で自動的にロックするロック手段と、サッシ開放時点から所定時間経過後に前記ロック手段を自動的にロック解除作動させるロック解除手段とを備えたものである。
【０００７】
この発明に係るサッシ自動閉鎖用ユニットのロック解除手段は、バネ駆動モータに装備されてサッシ開放時間が予め設定され、その設定時間経過後に前記バネ駆動モータを起動させてバネ手段をサッシ閉方向に巻き上げ作動させるタイマーからなっているものである。
【０００８】
この発明に係るサッシ自動閉鎖用ユニットは、第１および第２のフレームに、サッシの全閉を検知する全閉確認センサを取り付け、この全閉確認センサによるサッシ全閉検知信号でロック手段を稼動させてサッシを全閉位置で自動ロックするように構成したものである。
【０００９】
この発明に係るサッシ自動閉鎖用ユニットは、引き違い開閉式のサッシのそれぞれに取り付けられる第１および第２のフレームと、これらのフレームに跨って組み付けられ、それらの両フレームを介して前記サッシを閉方向に付勢するバネ手段と、前記サッシの全閉位置を検知する全閉確認センサと、この全閉確認センサによるサッシ全閉確認時に稼動して両サッシを全閉位置で自動的にロックするロック手段と、サッシ開放時点から所定時間経過後に前記ロック手段を自動的にロック解除作動させるロック解除手段とを備えたものである。
【００１０】
この発明に係るサッシ自動閉鎖用ユニットは、第１および第２のフレーム部材に、サッシ閉じ作動時の速度および衝撃力を制御するための速度・衝撃力制御手段を設けたものである。
【００１１】
この発明に係るサッシ自動閉鎖用ユニットは、サッシの開放操作力を軽減するサッシ開放操作手段を備えているものである。
【００１２】
【発明の実施の形態】
以下、この発明の実施の一形態を説明する。
実施の形態１．
図１はこの発明の実施の形態１によるサッシ自動閉鎖用ユニットが組み付けられた引き違い開閉式サッシを示す縦断面図、図２は図１中のサッシ自動閉鎖用ユニットのみを示す概略的な斜視図、図３は図２の要部拡大平面図、図４は図３の正面図である。
図において、１は建物のサッシ開閉用開口部に据え付けられたサッシ取付枠（サッシ外枠）、２，３はそのサッシ取付枠１の上下レール部に嵌め込まれた引き違い開閉式のサッシ、２ａ，３ａは各サッシ２，３の縦框と横框からなるサッシ枠である。
【００１３】
１０は前記サッシ２，３の相互に組み付けられたサッシ自動閉鎖用ユニットであって、左右一対のフレーム１１，１２を備えている。１１ａ，１２ａはそれらのフレーム１１，１２に設けられたアーム状のジョイントであり、これらのジョイント部１１ａ，１２ａを図１に示すように両サッシ２，３のサッシ枠２ａ，３ａのそれぞれにビス止め等で固着されている。これによって、前記左右のフレーム１１，１２は左右のサッシ２，３のそれぞれに一体化されて該サッシ２，３と共に引き違い開閉方向に移動するようになっている。
【００１４】
１３は前記両フレーム１１，１２の相互に跨って組み付けられたバネ手段である。このバネ手段１３はフレーム１１，１２を介して左右のサッシ２，３を閉方向に付勢するもので、図示例のものは定荷重バネからなっている。
すなわち、定荷重バネ１３は巻取軸１４を有し、この巻取軸１４が一方（図２で右側）のフレーム１２に回転可能に取り付けられ、この状態で前記定荷重バネ１３の自由端部が他方（図２で左側）のフレーム１１に連結した構成となっている。
【００１５】
ここで、両サッシ２，３を全閉すると、両フレーム１１，１２が図１に示すように最大伸長して定荷重バネ１３の殆どが巻取軸１４に巻き取られた状態となり、かつ、両サッシ２，３を開放すると、その開放分だけ両フレーム１１，１２が短縮して定荷重バネ１３が巻取軸１４から繰り出された状態となり、かかる状態において、前記定荷重バネ１３は上述のように両フレーム１１，１２を介して両サッシ２，３を常に全閉方向に付勢しているものである。
【００１６】
１５はクラッチ１６を介して前記定荷重バネ１３をサッシ閉方向に巻き上げ駆動するバネ駆動用のモータであり、このモータ１５は、サッシ２，３の開放時点から所定時間経過後に前記定荷重バネ１３の巻き上げ方向に起動させるためのタイマーをロック解除手段として備えている。したがって、前記タイマーにはサッシ開放時間が予め設定されるものである。
【００１７】
なお、前記クラッチ１６は、手動によるサッシ２，３の開放時に「切」となり、バネ系モータ１５の起動時には「入」となるものである。１７，１８は前記両フレーム１１，１２のそれぞれの端部に設けられてサッシ２，３の全閉を検知確認する全閉確認センサであり、この全閉確認センサ１７，１８はサッシ２，３の全閉位置で作動するリミットスイッチからなっている。
【００１８】
１９は両サッシ２，３を全閉位置で自動的にロックするためのロック手段（ロックシステム）、２０はそのロック手段１９を駆動するロック系モータである。ここで、ロック系モータ２０は、両サッシ２，３の全閉時に全閉確認センサ１７，１８からの信号を入力することで前記ロック手段１９をロック作動させるように起動し、かつ、ロック解除用スイッチ（図示せず）を備えているものである。なお、図２において、２１は前記各モータ１５，２０および全閉確認センサ１７，１８のそれぞれに対して電気的に接続された電源系統の配線ユニットである。
【００１９】
図１において、２２は一方のフレーム１１に回転自在に軸支された複数のガイドローラ、２３は他方のフレーム１２に回転自在に軸支された複数のガイドローラであり、これらのガイドローラ２２，２３は、建物側に取り付けられて前記フレーム１１，１２を覆うカバー部材２４，２５の内側に設けられたガイドレール２６，２７に転動自在に嵌め込まれて両サッシ２，３の開閉方向に移動するようになっている。なお、２８は前記フレーム１２の上部に取り付けられた吊りローラ、２９はその吊りローラ２８をガイドする建物側の上部ガイドレールである。
【００２０】
次に動作について説明する。
この発明によるサッシ自動閉鎖用ユニット１０が取り付けられた引き違い開閉式のサッシ２，３は手動操作によって開放される。その開放によって、両フレーム１１，１２相互が短縮し、該短縮に伴って定荷重バネ１３が巻取軸１４から繰り出された状態となる。そして、前記両サッシ２，３の開放時点から所定時間経過後にバネ駆動系のモータ１５が起動する。すなわち、モータ１５のタイマーには所定のサッシ開放時間が予め設定されており、その設定時間経過後に前記モータ１５が起動して前記巻取軸１４が定荷重バネ１３の巻き上げ方向に回転駆動される。
【００２１】
このようにして、定荷重バネ１３が巻取軸１４で巻き上げられ、両フレーム１１，１２の相互が伸長移動することで両サッシ２，３相互が全閉位置まで閉じられる。そして、両サッシ２，３が全閉位置に到達すると、全閉確認センサ（リミットスイッチ）１７，１８が作動し、その検知信号をロック系モータ２０が入力して起動することにより、ロック手段１９が稼動して両サッシ２，３が全閉位置で自動ロックされる。そのロック状態から両サッシ２，３を手動開放するに際しては、例えば遠隔スイッチ操作によってロック系モータ２０をロック解除方向に作動させればよく、そのロック解除によって両サッシ２，３の手動開放が可能となる。
【００２２】
以上説明した実施の形態１によれば、引き違い開閉式のサッシ２，３を手動で開放するものでありながら、その開放時点から所定時間経過後に起動するバネ系のモータ１５で定荷重バネ１３が巻取軸１４に巻き上げられることにより、前記両サッシ２，３を所定の開放時間経過後に自動的に全閉させることができ、サッシの閉め忘れが生じるような危惧がなくなる。また、上述のように定荷重バネ１３とモータ１５との組み合わせ構成としたことにより、両サッシ２，３の手動開放による定荷重バネ１３の伸びをモータ１５によってスムーズに巻き戻すことができる。
【００２３】
さらに、上記実施の形態１によれば、両サッシ２，３の全閉を全閉確認センサ１７，１８が検知し、その検知信号でロック系モータ２０が起動してロック手段１９をロック作動させるので、両サッシ２，３を全閉位置で自動的にロックすることができ、このため、盗難や不法侵入等を未然に防止することができる。また、サッシ２，３を人為的操作で開く際にはクラッチ１６が入らないので、サッシ２，３をスムーズに開くことができる。さらに、上記実施の形態１によるサッシ自動閉鎖用ユニット１０は、そのフレーム１１，１２をサッシ枠２ａ，３ａにビス止め等で止着するだけで簡単に取り付けることができるので、既存の引き違い開閉式サッシ２，３に対し容易に後付けすることができる。
【００２４】
実施の形態２．
図５はこの発明の実施の形態２によるサッシ自動閉鎖用ユニットを示す概略的な斜視図であり、図１から図４と同一または相当部分には同一符号を付して重複説明を省略する。
この実施の形態２では、上記実施の形態１によるサッシ自動閉鎖用ユニット１０のバネ系モータ１５およびクラッチ１６を省いて定荷重バネ１３だけで両サッシ２，３を自動的に全閉作動させるように構成し、かつ、フレーム１１，１２には速度・衝撃力制御手段３１，３２をそれぞれ設けると共に、ロック解除手段３３を設けたものである。ここで、前記速度・衝撃力制御手段３１，３２は、定荷重バネ１３のバネ力による両サッシ２，３の閉じ作動時における速度および衝撃力を緩和するもので、エアシリンダ等のダンパーからなるものである。
【００２５】
なお、この実施の形態２によるサッシ自動閉鎖用ユニット１０にあっても、上記実施の形態１の場合と同様に、サッシ２，３の全閉を検知する全閉確認センサ１７，１８を有し、これらの全閉確認センサ１７，１８の検知信号でロック系モータ２０が起動してロック手段１９がロック作動するものである。また、前記ロック解除手段３３は、サッシ開放時間が予め設定され、その設定時間経過後に前記ロック手段１９をロック解除作動させるものである。
【００２６】
以上説明した実施の形態２によれば、手動操作で開放されたサッシ２，３を所定の開放時間経過後に定荷重バネ１３の付勢力だけで自動的に全閉動作させることができ、このため、サッシの閉め忘れが生じるような危惧がなくなる。また、全閉に到達した両サッシ２，３は自動的にロックされるので、盗難や不法侵入等を未然に防止することができる。
【００２７】
実施の形態３．
図６はこの発明の実施の形態３によるサッシ自動閉鎖入力用ユニットが取り付けられた引き違い開閉式サッシを示す正面図である。
この実施の形態３では、定荷重バネ１３の付勢力だけでサッシ２，３を自動的に閉じ作動させる構成とした上記実施の形態２によるサッシ自動閉鎖用ユニット１０において、サッシ２，３の手動開放力を軽減するサッシ開放操作手段４０を設けたものであり、図示のサッシ開放操作手段４０は、一方のフレーム１２に取り付けた滑車４１と、建物側に取り付けた滑車４２と、前記フレーム１２に一端を連結して前記滑車４１，４２に巻回した操作紐４３とからなっているが、このような滑車機構を利用したものに限らず、要するにサッシ開放力を軽減できるものであれば、いかなる機構・構成のものであってもよい。
【００２８】
このようなサッシ開放操作手段４０を設けることにより、手動によるサッシ２，３の開放操作をスムーズに行うことができる。
【００２９】
なお、上記各実施の形態では、バネ手段１３として定荷重バネを適用したが、この発明によるバネ手段１３は定荷重バネに限らず、その他の例えば巻き尺構成の板バネであってもよく、この場合も同様の作用効果を奏するものである。
【００３０】
【発明の効果】
以上のように、この発明によれば、引き違い開閉式のサッシのそれぞれに取り付ける第１および第２のフレームに跨って組み付けられ、それらの両フレームを介して前記サッシを閉方向に付勢するバネ手段と、このバネ手段をサッシ閉方向に巻き上げ駆動するバネ駆動モータと、前記サッシを全閉位置で自動的にロックするロック手段と、サッシ開放時点から所定時間経過後に前記ロック手段を自動的にロック解除作動させるロック解除手段とを備えるように構成したので、手動で開放されたサッシを、所定の開放時間経過後に自動的に全閉させることができ、サッシの閉め忘れが生じるような危惧がなくなるという効果がある。また、上述のように定荷重バネとモータとの組み合わせ構成としたことにより、両サッシの手動開放による定荷重バネの伸びを前記モータによってスムーズに巻き戻すことができるという効果がある。さらに、両サッシの全閉を全閉確認センサが検知し、その検知信号でロック系モータが起動してロック手段をロック作動させるので、両サッシを全閉位置で自動的にロックすることができ、このため、盗難や不法侵入等を未然に防止することができるという効果がある。
【００３１】
この発明によれば、サッシ開放時間が予め設定され、その設定時間経過後に前記バネ駆動モータを起動させてバネ手段をサッシ閉方向に巻き上げ作動させるタイマーをバネ駆動モータに装備するように構成したので、タイマー設定時間経過後にサッシを自動的に全閉させることができ、サッシの閉め忘れが生じるようなことがないという効果がある。
【００３２】
この発明によれば、第１および第２のフレームに、サッシの全閉を検知する全閉確認センサを取り付け、この全閉確認センサの検知信号でロック手段をサッシロック方向に作動させるように構成したので、サッシを全閉位置で確実に自動ロックさせることができるという効果がある。
【００３３】
この発明によれば、引き違い開閉式のサッシのそれぞれに取り付けられる第１および第２のフレームと、これらのフレームに跨って組み付けられ、それらの両フレームを介して前記サッシを閉方向に付勢するバネ手段と、前記サッシの全閉位置を検知する全閉確認センサと、この全閉確認センサによるサッシ全閉確認時に稼動して両サッシを全閉位置で自動的にロックするロック手段と、サッシ開放時点から所定時間経過後に前記ロック手段を自動的にロック解除作動させるロック解除手段とを備えるように構成したので、開放されたサッシをバネ手段の付勢力だけで自動的に全閉させることができると共に、その全閉位置のサッシを自動ロックすることができるという効果がある。
【００３４】
この発明によれば、第１および第２のフレーム部材に、サッシ閉じ作動時の速度および衝撃力を制御するための速度・衝撃力制御手段を設けるように構成したので、サッシをスムーズに閉じ作動させることができるという効果がある。
【００３５】
この発明によれば、サッシの開放操作力を軽減するサッシ開放操作手段を備えるように構成したので、手動によるサッシ開放をスムーズに行うことができるという効果がある。
【図面の簡単な説明】
【図１】この発明の実施の形態１によるサッシ自動閉鎖用ユニットが組み付けられた引き違い開閉式サッシを示す縦断面図である。
【図２】図１中のサッシ自動閉鎖用ユニットのみを示す概略的な斜視図である。
【図３】図２の要部拡大平面図である。
【図４】図３の正面図である。
【図５】この発明の実施の形態２によるサッシ自動閉鎖用ユニットを示す概略的な斜視図である。
【図６】この発明の実施の形態３によるサッシ自動閉鎖入力用ユニットが取り付けられた引き違い開閉式サッシを示す正面図である。
【符号の説明】
１  サッシ取付枠
２，３  サッシ
２ａ，３ａ  サッシ枠
１０  サッシ自動閉鎖用ユニット
１１，１２  フレーム
１１ａ，１２ａ  ジョイント部
１３  定荷重バネ（バネ手段）
１４  巻取軸
１５  バネ系モータ
１６  クラッチ
１７，１８  全閉確認センサ（リミットスイッチ）
１９  ロック手段
２０  ロック系モータ
２１  電源系配線ユニット
２２，２３  ガイドローラ
２４，２５  カバー部材
２６，２７  ガイドレール
２８  吊りローラ
２９  上部ガイドレール
３１，３２  速度・衝撃力制御手段（エアシリンダ）
３３  ロック解除手段
４０  サッシ開放操作手段
４１，４２  滑車
４３  操作紐
【図１】
2004169431.tif 000003
【図２】
2004169431.tif 000004
【図３】
2004169431.tif 000005
【図４】
2004169431.tif 000006
【図５】
2004169431.tif 000007
【図６】
2004169431.tif 000008